(57)【要約】【課題】  ポンプ機能を発揮する回転方向が異なる２つのポンプを備える縦置型ポンプにおいて、経済性を悪化させることなく、下側に配置されたポンプのポンプ室内での空気の滞留を防止する。【解決手段】  洗浄ポンプ１６と排水ポンプ１７とを上下方向に配置して回転軸１４に連結し、回転軸１４が正回転したときに洗浄ポンプ１６が機能し、回転軸１４が逆回転したときに排水ポンプ１７が機能する構成とする。洗浄ポンプ１６の第一ポンプ室２７と排水ポンプ１７の第二ポンプ室３３の上壁の内面３３ａとを連通部３８により連通し、この連通部３８に接続した第二ポンプ室３３の上壁の内面３３ａを連通部３８に向かって上り斜面に形成し、この上壁の内面３３ａに沿って第二ポンプ室３３内の空気が上昇し連通部３８へ移動するようにした。【選択図】    図２
2005155583.tif 000002
【特許請求の範囲】
【請求項１】
正逆回転自在であって軸方向が上下方向になる向きに設けられた回転軸と、
第一ポンプ室内に設けられ前記回転軸と一体となって回転する第一インペラが正回転することにより、第一吸入口から前記第一ポンプ室内へ流体を吸入し、吸入した流体を第一吐出口から吐き出す第一ポンプと、
第二ポンプ室内に設けられ前記回転軸と一体となって回転する第二インペラが逆回転することにより、第二吸入口から前記第二ポンプ室内へ流体を吸入し、吸入した流体を第二吐出口から吐き出し、前記第一ポンプの下方に配置された第二ポンプと、
前記第一ポンプ室と前記第二ポンプ室の上壁側とを連通する連通部と、
を備え、
前記連通部に接続した前記第二ポンプ室の上壁の内面が前記連通部に向かって上り斜面に形成されている縦置型ポンプ。
【請求項２】
正逆回転自在であって軸方向が上下方向になる向きに設けられた回転軸と、
第一ポンプ室内に設けられ前記回転軸と一体となって回転する第一インペラが正回転することにより、第一吸入口から前記第一ポンプ室内へ流体を吸入し、吸入した流体を第一吐出口から吐き出す第一ポンプと、
第二ポンプ室内に設けられ前記回転軸と一体となって回転する第二インペラが逆回転することにより、第二吸入口から前記第二ポンプ室内へ流体を吸入し、吸入した流体を第二吐出口から吐き出し、前記第一ポンプの下方に配置された第二ポンプと、
前記第一ポンプ室と前記第二ポンプ室の上壁側とを連通する連通部と、
を備え、
前記第二インペラは、逆回転したときに前記第二ポンプ室内の流体を前記第二吐出口へ押圧する第一押圧面と正回転したときに前記第二ポンプ室内の流体を下方へ向けて押す第二押圧面と、を備えている縦置型ポンプ。
【請求項３】
前記連通部に接続した前記第二ポンプ室の上壁の内面が前記連通部に向かって上り斜面に形成されている請求項２記載の縦置型ポンプ。
【請求項４】
ケーシングと、
前記ケーシングに正逆回転自在であって軸方向が上下方向になる向きに設けられた回転軸と、
前記ケーシング内に設けられた第一ポンプ室と、この第一のポンプ室内に設けられ前記回転軸の軸方向に移動自在であって前記回転軸と一体となって回転して流体を押す軸流インペラと、この軸流インペラが正回転したときに前記第一ポンプ室内へ流体を吸入する第一吸入口と、吸入した流体を前記第一ポンプ室外へ吐き出す第一吐出口と、を有する第一ポンプと、
前記ケーシング内に設けられた第二ポンプ室と、この第二ポンプ室内に設けられ前記回転軸と一体となって回転し流体を押す第二インペラと、この第二インペラが逆回転するときに流体を前記第二ポンプ室内へ吸入する第二吸入口と、吸入した流体を前記第二ポンプ室外へ吐き出す第二吐出口と、を有し前記第一ポンプの下方に配置された第二ポンプと、
前記第一ポンプ室と前記第二ポンプ室の上壁側とを連通する連通部と、
前記回転軸の軸方向のうち前記軸流インペラが正回転したときの流体の軸流方向の下流側の初期位置へ向けて前記軸流インペラを付勢する付勢手段と、
前記付勢手段により付勢された前記軸流インペラを前記初期位置で位置決めする位置決め手段と、
前記初期位置に位置する前記軸流インペラに対して前記軸流インペラが正回転したときの流体の軸流方向の上流側で間隔を有して前記ケーシングに一体に設けられ、正回転した前記軸流インペラが流体から受ける反力によって前記付勢手段の付勢力に抗して移動して突き当たる受け部と、
を備えている縦置型ポンプ。
【請求項５】
前記第一インペラは軸流インペラであって前記回転軸の軸方向に移動自在に設けられ、
前記第一ポンプ室と前記第二ポンプ室とを形成するケーシングと、
前記回転軸の軸方向のうち前記第一インペラが正回転したときの流体の軸流方向の下流側の初期位置へ向けて前記第一インペラを付勢する付勢手段と、
前記付勢手段により付勢された前記第一インペラを前記初期位置で位置決めする位置決め手段と、
前記初期位置に位置する前記第一インペラに対して前記第一インペラが正回転したときの流体の軸流方向の上流側で間隔を有して前記ケーシングに一体に設けられ、正回転した前記第一インペラが流体から受ける反力によって前記付勢手段の付勢力に抗して移動して突き当たる受け部と、
を備えている請求項１、２又は３記載の縦置型ポンプ。
【請求項６】
食器洗浄のために洗浄水を吐出する洗浄ポンプ及び洗浄水を排水する排水ポンプを正逆回転自在な単一の回転軸に連結した縦置型ポンプを備え、前記回転軸を正回転させることにより前記洗浄ポンプが機能し、前記回転軸を逆回転させることにより前記排水ポンプが機能する食器洗浄機において、
前記第一ポンプを前記洗浄ポンプとし、前記第二ポンプを前記排水ポンプとして、請求項１ないし５の何れか一記載の縦置型ポンプを搭載したことを特徴とする食器洗浄機。
【発明の詳細な説明】
【技術分野】
【０００１】
本発明は、縦置型ポンプ及びこの縦置型ポンプを備える食器洗浄機に関する。
【背景技術】
【０００２】
従来、例えば、食器洗浄機等に搭載されているポンプとしては、洗浄ポンプと排水ポンプとを上下方向に配置しそれらの洗浄ポンプと排水ポンプとを一つのモータ（モータ部）の回転軸に結合した縦置型ポンプがある（例えば、特許文献１参照）。この縦置型ポンプによれば、モータを一方向（正方向）へ回転駆動させることにより洗浄ポンプが機能し、洗浄水タンク内の洗浄水が吸引されてその洗浄水が食器へ向けて吐出され、食器等の洗浄が行われる。また、洗浄作業終了後にモータを他方向（逆方向）へ回転駆動させることにより排水ポンプが機能し、洗浄水タンク内の洗浄水が吸引されてその洗浄水が食器洗浄機外へ排水される。
【０００３】
このような縦置型ポンプの一例を図８に示す。縦置型ポンプ１０１は、洗浄ポンプ１０２とこの洗浄ポンプ１０２の下方に配置された排水ポンプ１０３とを備えている。これらの洗浄ポンプ１０２及び排水ポンプ１０３は、モータ部１０４の回転軸１０５に連結されている。洗浄ポンプ１０２は、第一ポンプ室１０６内に配置され回転軸１０５に連結された第一インペラ１０７が正回転することにより、第一吸入口１０８から第一ポンプ室１０６内へ洗浄水を吸入し、吸入した洗浄水を第一吐出口１０９から吐き出す。排水ポンプ１０３は、第二ポンプ室１１０内に配置され回転軸１０５に連結された第二インペラ１１１が逆回転することにより、第二吸入口１１２から第二ポンプ室１１０内へ洗浄水を吸入し、吸入した洗浄水を第二吐出口１１３から吐き出す。第二吐出口１１３は、図示しない排水ドレイン管に接続している。
【０００４】
図９に示すように、第二インペラ１１１の羽根１１１ａには、第二ポンプ室１１０内の洗浄水に略直角に衝突して洗浄水を第二吐出口１１３へ向けて押す作用面１１１ｂが形成されている。この作用面１１１ｂの背面１１１ｃも鉛直方向に形成され、第二インペラ１１１の正回転により洗浄水を押し出す方向に対して傾斜している。
【０００５】
排水時に第二インペラ１１１が逆回転（図中矢印ｂの方向）したときは、作用面１１１ｂにより流体が押し出され、第二吸入口１１２から洗浄水が第二ポンプ室１１０内へ吸入され、第二吐出口１１３から流体が吐き出され外部へ排水される。一方、洗浄時に、第二インペラ１１１が正回転（図中矢印ａの方向）したときは、背面１１１ｃが洗浄水を押すが、この背面１１１ｃによる流体を押し出す作用は小さいので、実質ポンプ作用が機能しないようになっている。
【０００６】
【特許文献１】特開平９−１３１２９２号公報
【発明の開示】
【発明が解決しようとする課題】
【０００７】
しかしながら、洗浄時に排水ポンプ１０３が正回転方向（図中矢印ａ）に回転駆動され、第二インペラ１１１が正回転したときの背面１１１ｃによる流体を押し出す作用は小さいが、背面１１１ｃは幾分かは第二吐出口１１３から流体を第二ポンプ室１１０内に吸引し、第二吸入口１１２へ押し出す作用をする。そして、所定時間以上に排水ポンプ１０３を運転すると排水ドレイン管に貯留している洗浄水が徐々に第二ポンプ室１１０内へ吸引され、その後、排水ドレイン管に洗浄水がなくなった場合に第二ポンプ室１１０内に外部の空気を吸い込んでしまうこととなってしまう。これにより、洗浄が終了した時点では、第二ポンプ室１１０内に空気が溜まってしまい、この状態から排水ポンプ１０３を逆回転し排水を行うと、第二ポンプ室１１０内に溜まっている空気のために第二インペラ１１１の駆動力が洗浄水へ十分に伝わらず、吐出性能が落ちてしまう。
【０００８】
縦置型ポンプ１０１では、図８に示すように、洗浄ポンプ１０２の第一ポンプ室１０６と排水ポンプ１０３の第二ポンプ室１１０とを連通穴１１４によって連通しているものがある。この構造では、第二ポンプ室１１０内の空気は連通穴１１４から第一ポンプ室１０６へ移動可能ではあるが、第二ポンプ室１１０の上壁の内面１１４ａが水平面であるために、空気が上部に停滞してしまい、連通穴１１４へ移動しないという問題がある。
【０００９】
特許文献１では、第二インペラの上面側に遠心型の第三インペラを設け、この第三インペラの回転により、洗浄時における第二ポンプ室内への空気の流入そのものを防止している。しかしながら、この場合には、洗浄時及び排水時に、第一インペラ及び第二インペラの他に第三インペラを回転駆動させることとなり、その分のエネルギーが新たに必要となってしまい経済性が悪いという問題がある。
【００１０】
本発明の目的は、ポンプ機能を発揮する回転方向が異なる２つのポンプを備える縦置型ポンプにおいて、経済性を悪化させることなく、下側に配置されたポンプのポンプ室内での空気の滞留を防止することである。
【課題を解決するための手段】
【００１１】
本発明は、正逆回転自在であって軸方向が上下方向になる向きに設けられた回転軸と、第一ポンプ室内に設けられ前記回転軸と一体となって回転する第一インペラが正回転することにより、第一吸入口から前記第一ポンプ室内へ流体を吸入し、吸入した流体を第一吐出口から吐き出す第一ポンプと、第二ポンプ室内に設けられ前記回転軸と一体となって回転する第二インペラが逆回転することにより、第二吸入口から前記第二ポンプ室内へ流体を吸入し、吸入した流体を第二吐出口から吐き出し、前記第一ポンプの下方に配置された第二ポンプと、前記第一ポンプ室と前記第二ポンプ室の上壁側とを連通する連通部と、
を備え、前記連通部に接続した前記第二ポンプ室の上壁の内面が前記連通部に向かって上り斜面に形成されている。
【００１２】
本発明は、正逆回転自在であって軸方向が上下方向になる向きに設けられた回転軸と、第一ポンプ室内に設けられ前記回転軸と一体となって回転する第一インペラが正回転することにより、第一吸入口から前記第一ポンプ室内へ流体を吸入し、吸入した流体を第一吐出口から吐き出す第一ポンプと、第二ポンプ室内に設けられ前記回転軸と一体となって回転する第二インペラが逆回転することにより、第二吸入口から前記第二ポンプ室内へ流体を吸入し、吸入した流体を第二吐出口から吐き出し、前記第一ポンプの下方に配置された第二ポンプと、前記第一ポンプ室と前記第二ポンプ室の上壁側とを連通する連通部と、を備え、前記第二インペラは、逆回転したときに前記第二ポンプ室内の流体を前記第二吐出口へ押圧する第一押圧面と正回転したときに前記第二ポンプ室内の流体を下方へ向けて押す第二押圧面と、を備えている。
【００１３】
本発明は、ケーシングと、前記ケーシングに正逆回転自在であって軸方向が上下方向になる向きに設けられた回転軸と、前記ケーシング内に設けられた第一ポンプ室と、この第一のポンプ室内に設けられ前記回転軸の軸方向に移動自在であって前記回転軸と一体となって回転して流体を押す軸流インペラと、この軸流インペラが正回転したときに前記第一ポンプ室内へ流体を吸入する第一吸入口と、吸入した流体を前記第一ポンプ室外へ吐き出す第一吐出口と、を有する第一ポンプと、前記ケーシング内に設けられた第二ポンプ室と、この第二ポンプ室内に設けられ前記回転軸と一体となって回転し流体を押す第二インペラと、この第二インペラが逆回転するときに流体を前記第二ポンプ室内へ吸入する第二吸入口と、吸入した流体を前記第二ポンプ室外へ吐き出す第二吐出口と、を有し前記第一ポンプの下方に配置された第二ポンプと、前記第一ポンプ室と前記第二ポンプ室の上壁側とを連通する連通部と、前記回転軸の軸方向のうち前記軸流インペラが正回転したときの流体の軸流方向の下流側の初期位置へ向けて前記軸流インペラを付勢する付勢手段と、前記付勢手段により付勢された前記軸流インペラを前記初期位置で位置決めする位置決め手段と、前記初期位置に位置する前記軸流インペラに対して前記軸流インペラが正回転したときの流体の軸流方向の上流側で間隔を有して前記ケーシングに一体に設けられ、正回転した前記軸流インペラが流体から受ける反力によって前記付勢手段の付勢力に抗して移動して突き当たる受け部と、を備えている。
【発明の効果】
【００１４】
本発明によれば、ポンプ機能を発揮する回転方向が異なる２つのポンプを備える縦置型ポンプにおいて、経済性を悪化させることなく、下側に配置されたポンプのポンプ室内での空気の滞留を防止することができる。
【発明を実施するための最良の形態】
【００１５】
本発明の第一の実施の形態を図１ないし図３に基づいて説明する。図１は本発明の縦置型ポンプを搭載した食器洗浄機の全体構成を示す縦断側面図、図２はその一部を拡大して示す縦断側面図、図３は図２におけるＡ−Ａ線断面図である。
【００１６】
図１に示すように、食器洗浄機１は、食器かご２に載置された食器３が収納される食器収納部４、食器収納部４の下方に配置されて流体である洗浄水が吐出する複数のノズル５が設けられたノズル体６、ノズル体６の下方に配置され洗浄水を貯留する貯留タンク７、貯留タンク７内の洗浄水をノズル５から吐出させる機能と貯留タンク７内の洗浄水を食器洗浄機１外へ排出する機能とを備えた縦置型ポンプ９等を備えている。なお、食器洗浄機１には洗浄水を供給するための水道管（図示せず）が接続されている。また、食器洗浄機１の正面には開閉自在な扉１０が設けられ、この扉１０を開放することにより食器収納部４への食器３の出し入れを行える。
【００１７】
縦置型ポンプ９は、モータ一体型のポンプであり、図２に示すように、ケーシング本体１２ａと上部ケーシング１２ｂと下部ケーシング１２ｃとにより構成されるケーシング１２、ケーシング本体１２ａの内部に配置された筒状のステータ１１、ステータ１１内に軸心回りに正逆回転自在に収納された軸流インペラである第一インペラ１３、この第一インペラ１３の回転軸１４に固定されて第一インペラ１３と共に正逆回転する第二インペラ１５を備えている。回転軸１４はその軸方向が上下方向になる向きに設けられ、第二インペラ１５は第一インペラ１３の下側に位置付けられている。そして、この縦置型ポンプ９は、その上部側が第一ポンプである洗浄ポンプ１６とされ、その下部側が第二ポンプである排水ポンプ１７とされている。洗浄ポンプ１６は軸流ポンプであり、排水ポンプ１７は遠心ポンプである。洗浄ポンプ１６と排水ポンプ１７との間にはこれらの洗浄ポンプ１６，排水ポンプ１７を仕切る仕切部でありケーシング１２の一部を構成する仕切板３７が設けられている。この仕切板３７には、連通部である連通穴３８が形成されており、この連通穴３８に回転軸１４が挿通している。この連通穴３８の径は、回転軸１４の径よりも大きく形成されている。そして、回転軸１４は、ケーシング本体１２ａに設けられた軸受４０，４１により上下が軸支されている。ここで、仕切板３７は、同時に、後述する第二ポンプ室３３の上壁を形成している。
【００１８】
第一インペラ１３の外周部には、軸流羽根として機能する螺旋状の凹部１８が形成されている。この凹部１８により、第一インペラ１３の一端側から他端側に向けて螺旋状の流路１８ａが形成されている。第一インペラ１３の上方側端部には遠心インペラ１３ａが一体に形成されている。第一インペラ１３の内部には、先端部をステータ１１の内周面に対向する向きに配置された複数の永久磁石（図示せず）が設けられている。
【００１９】
ステータ１１は、板状の珪素鋼板を積層して形成した筒状のステータコア１９、ステータコア１９の内周側に放射状に等間隔で一体形成された６個の凸部２０、各凸部２０に巻かれた巻線２１、凸部２０と巻線２１との間を絶縁するボビン２２等により構成されている。
【００２０】
ステータ１１の内周側には、アルミニウムやＳＵＳ等の非磁性体で薄肉に形成された円筒状のキャン２３が取付けられている。キャン２３はステータ１１に対する防水機能を有し、キャン２３の上方側端部とケーシング本体１２ａとの間にはＯリング２４が介装され、キャン２３の下方側端部とケーシング本体１２ａとの間にはＯリング２５が介装されている。このキャン２３の内側の空間及びキャン２３の下方でケーシング本体１２ａに形成された空間がポンプ室２７ａとされている。
【００２１】
ケーシング本体１２ａの上方側端部には遠心インペラ１３ａの上方を覆う上部ケーシング１２ｂが固定され、この上部ケーシング１２ｂ内の空間がポンプ室２７ｂとされている。このポンプ室２７ｂは、ポンプ室２７ａとともに第一ポンプ室２７を構成している。
【００２２】
ケーシング本体１２ａの下端部には、第一インペラ１３が正回転方向への回転（上方から見て時計回り方向へ回転、図３中の矢印ａ方向、以後、正回転という）したときにポンプ室２７ａ内へ洗浄水（流体）を吸入する第一吸入口２８が設けられている。この第一吸入口２８と貯留タンク７とが接続管２９で接続されている。ケーシング本体１２ａの上端部に設けられているポンプ室２７ｂには、第一吸入口２８から吸入された洗浄水が流路１８ａに沿って上昇してポンプ室２７ｂ内に入り込んだ後、その洗浄水がポンプ室２７ｂから吐出される第一吐出口３０が設けられている。この第一吐出口３０とノズル体６とが接続管３１で接続されている（図１参照）。
【００２３】
ケーシング本体１２ａの下方側端部には第二インペラ１５の下方を覆う下部ケーシング１２ｃが固定され、この下部ケーシング１２ｃ内の空間が第二ポンプ室３３とされている。第二ポンプ室３３の上壁の内面３３ａは、連通穴３８により第一ポンプ室２７の下部側に連通されている。
【００２４】
第二ポンプ室３３の上壁の内面３３ａは、連通穴３８に向かって上り斜面に形成されている。これは、第二ポンプ室３３の上壁の内面３３ａを形成する仕切板３７の下面全体が連通穴３８に向かって上り斜面になるように傾斜して形成されていることにより実現されている。また、第二ポンプ室３３は、その水平断面が円形状に形成されている（図３参照）。
【００２５】
図３に示すように、第二ポンプ室３３には、回転軸１４とともに第二インペラ１５が逆回転したときに、洗浄水を第二ポンプ室３３へ吸入する第二吸入口３４が設けられている。この第二吸入口３４と貯留タンク７とが接続管３５で接続されている。さらに、第二ポンプ室３３には、第二吸入口３４から吸入された洗浄水が吐出される第二吐出口３６が設けられている。第二吐出口３６には、洗浄水を食器洗浄機１外へ排水するための排水ドレイン管３９が接続されている。この排水ドレイン管３９は、所定の排水場所で大気に連通している。
【００２６】
第二ポンプ室３３に収納された第二インペラ１５は、バケット型の遠心インペラであって、６枚の羽根１５ａが設けられている。羽根１５ａには、作用面１５ｂが鉛直方向に形成されている。この作用面１５ｂは、第二インペラ１５が逆回転方向へ回転（上方から見て反時計回り方向へ回転、図３中の矢印ｂ方向、以後、逆回転という）することにより、第二ポンプ室３３内の洗浄水に略直角に衝突してその洗浄水を逆回転方向であって第二吐出口３６へ向けて押すように形成されている。この作用面１５ｂの背面１５ｃも鉛直方向に形成され、作用面１５ｂの外側に向かうに従い作用面１５ｂに近づくように形成されている。即ち、第二インペラ１５の正回転により洗浄水を押し出す方向に対して傾斜している。これにより、第二インペラ１５が正回転した場合、背面１５ｃが洗浄水を押す力は、第二インペラ１５が逆回転したときの作用面１５ｂが洗浄水を押す力よりも小さいものとなる。そして、第二インペラ１５が正回転することにより、背面１５ｃに押された洗浄水は第二ポンプ室３３内を正回転方向に流れる。
【００２７】
図２に示すように、上述した洗浄ポンプ１６は、ステータ１１、第一インペラ１３、ケーシング本体１２ａ、上部ケーシング１２ｂ、第一ポンプ室２７、第一吸入口２８、第一吐出口３０等により構成されている。また、上述した排水ポンプ１７は、第二インペラ１５、下部ケーシング１２ｃ、第二ポンプ室３３、第二吸入口３４、第二吐出口３６等により構成されている。また、ステータ１１、第一インペラ１３などによりモータ部５１が構成されている
図１に示すように、貯留タンク７には、残滓を捕捉するフィルタ４６が配置されている。貯留タンク７内には、この貯留タンク７内に貯留された洗浄水を設定温度に加熱するヒータ５０が設けられている。
【００２８】
このような構成において、洗浄する食器３を食器かご２に載置して食器収納部４に収納し、洗浄スタートボタンを押すと、図示しない制御部からの制御により、貯留タンク７内への洗浄水の供給、供給した洗浄水のヒータ５０による加熱等が自動的に行われる。洗浄水の水温が設定温度に上昇するとステータ１１の巻線２１への通電が開始され、第一インペラ１３と第二インペラ１５とが回転軸１４とともに正回転（矢印ａ方向の回転）を開始する。
【００２９】
この回転により、第一インペラ１３の流路１８ａ内の洗浄水が流路１８ａに沿って上昇し、上昇した洗浄水は遠心インペラ１３ａにより加圧されて第一吐出口３０から吐出される。また、流路１８ａ内の洗浄水が上昇することにより、貯留タンク７内の洗浄水が接続管２９内を通って第一吸入口２８から第一ポンプ室２７内に流入し、この洗浄水も流路１８ａ内を上昇して第一吐出口３０から吐出される。第一吐出口３０から吐出された洗浄水は接続管３１内を流れてノズル体６へ供給され、ノズル体６のノズル５から食器３に向けて吐出され、食器３の洗浄が行われる。
【００３０】
ノズル５から吐出された洗浄水は食器３を洗浄した後に貯留タンク７内に戻り、貯留タンク７内の洗浄水は接続管２９内を流れて第一吸入口２８から第一ポンプ室２７内へ流入し、第一インペラ１３の流路１８ａに沿って上昇し、再びノズル５から食器３に向けて吐出される。このようにして貯留タンク７内の洗浄水が循環され、食器３の洗浄が行われる。
【００３１】
このとき、回転軸１４とともに第二インペラ１５が正回転することにより、第二ポンプ室３３内の洗浄水が第二インペラ１５の羽根１５ａの背面１５ｃに押されて正回転方向に移動する。この場合、羽根１５ａの背面１５ｃは、第二インペラ１５の回転により洗浄水を押し出す方向に対して傾斜しているので、押し出す作用は作用面１５ｂの押し出し作用よりは大幅に小さいが、流体を正回転方向に押す。このため、所定時間以上に排水ポンプ１７を運転すると排水ドレイン管３９に貯留している洗浄水が第二吐出口３６から徐々に第二ポンプ室３３内へ吸引され、その後、排水ドレイン管３９に洗浄水がなくなった場合に第二ポンプ室３３内への空気の吸い込みが発生する。このとき、本実施の形態では、第二ポンプ室３３の上壁の内面３３ａが連通穴３８に向かって上り斜面に形成されているので、第二ポンプ室３３内で上昇して上壁の内面３３ａに到達した空気が上壁の内面３３ａに沿ってさらに上昇して連通穴３８へ移動し、連通穴３８を通って第一ポンプ室２７へ上昇する。これにより、排水ポンプ１７の第二ポンプ室３３に空気が滞留することが防止される。このように、本実施の形態では、第二ポンプ室３３での空気の滞留防止のために特段の新規なエネルギーを必要としないので、経済性を悪化させることなく、第二ポンプ室３３での空気の滞留を防止することができる。
【００３２】
次に、第一インペラ１３を正回転させる食器３の洗浄を開始してから所定時間が経過すると、制御部からの制御により巻線２１に対する通電パターンが切り替えられ、第一インペラ１３と第二インペラ１５とが回転軸１４とともに逆回転（矢印ｂ方向の回転）を開始する。これにより、貯留タンク７の洗浄水が第二吸入口３４から第二ポンプ室３３内へ吸引され、第二ポンプ室３３内の洗浄水は第二吐出口３６から排水ドレイン管３９内へ送り込まれ、食器洗浄機１外へ排水される。ここで、上述した洗浄動作の際に第二ポンプ室３３内へ吸入された空気は第一ポンプ室２７へ排出されているので、第二ポンプ室３３内が洗浄水で満たされており、この排水時において排水ポンプ１７の駆動力が洗浄水に十分に伝わり、排水ポンプ１７の吐出性能の低下が抑えられる。これにより、食器洗浄機１の排水性能の低下が抑えられる。また、このとき、洗浄ポンプ１６内の洗浄水は、仕切板３７の連通穴３８を通って第二ポンプ室３３内に流入し、排水される。
【００３３】
次に、本発明の第二の実施の形態を図４及び図５に基づいて説明する。なお、上述した実施の形態で説明した部分と同じ部分は同一符号で示し説明も省略する（以下の実施の形態でも同じ）。ここで、図４は本実施の形態の縦置型ポンプ９を示す縦断側面図、図５は第二インペラを示す斜視図である。
【００３４】
図４に示すように、本実施の形態は、縦置型ポンプ９における排水ポンプ１７の第二インペラ６５が第一の実施の形態に対して異なる。図５に示すように、本実施の形態の第二インペラ６５の羽根６５ａの作用面１５ｂの背面６５ｃは、第二押圧面とされ、第二インペラ６５が回転軸１４と共に正回転することにより、第二ポンプ室３３内の洗浄水を下方に押圧する傾斜をもって形成されている。なお、作用面１５ｂは第一の実施の形態と同様であり、この作用面１５ｂが第一押圧面とされる。
【００３５】
このような構成において、洗浄動作の際に、第二インペラ６５が正回転すると、第二ポンプ室３３内の洗浄水は、図５中矢印ｃで示す向きに流れる。即ち、第二ポンプ室３３内の洗浄水は、羽根６５ａの背面６５ｃにより下方へ押されて第二ポンプ室３３の下面へ移動した後、第二ポンプ室３３内の側面３３ｂ側へ押し出されて側面３３ｂに沿って上昇し、上壁の内面３３ａに至り、上壁の内面３３ａに沿って第二ポンプ室３３の中心側（連通穴３８側）へ押されて連通穴３８へ移動し、連通穴３８を通って第一ポンプ室２７へ移動する。これにより、排水ポンプ１７の第二ポンプ室３３に空気が滞留することが防止される。このように、本実施の形態では、第二ポンプ室３３での空気の滞留防止のために特段の新規なエネルギーを必要としないので、経済性を悪化させることなく、第二ポンプ室３３での空気の滞留を防止することができる。これにより、排水動作の開始の際には、第二ポンプ室３３内が洗浄水で満たされており、この排水時において排水ポンプ１７の駆動力が洗浄水に十分に伝わり、排水ポンプ１７の吐出性能の低下が抑えられる。これにより、食器洗浄機１の排水性能の低下が抑えられる。
【００３６】
また、本実施の形態においては、連通穴３８に接続した第二ポンプである排水ポンプ１７の上壁の内面３３ａが連通穴３８に向かって上り斜面に形成されていることにより、上壁の内面３３ａに沿って第二ポンプ室３３の中心側（連通穴３８側）へ押される空気の移動がさらに促進されるので、空気が効率よく連通穴３８へ移動する。これにより、排水ポンプ１７の第二ポンプ室３３内の空気の滞留防止の効果がさらに高まる。
【００３７】
次に、本発明の第三の実施の形態を図６及び図７に基づいて説明する。ここで、図６は第一インペラ１３が初期位置に位置したときの本実施の形態の縦置型ポンプ９を示す縦断側面図、図７は第一インペラ１３が下端位置に位置した状態の縦置型ポンプ９を示す縦断側面図である。
【００３８】
本実施の形態は、第一インペラ１３が回転軸１４の軸方向へ移動可能である点が上述した実施の形態に対して異なるものであり上述した第一及び第二の実施の形態に適用可能であるが、本実施の形態では第二の実施の形態への適用例を示す。
【００３９】
本実施の形態の第一インペラ１３は、回転軸１４の軸方向に移動自在に回転軸１４に取り付けられている。詳しくは、回転軸１４の水平断面は角を有する断面形状であり（図３参照）、第一インペラ１３は回転軸１４にスライド自在に嵌合しており、回転軸１４が回転したときは回転軸１４とともに回転する。この第一インペラ１３の下端の中央部には、下当接部１３ｂが形成されており、この下当接部１３ｂは、回転軸１４を支持する下側の軸受４１の上部に形成された受け部４１ａに当接可能である。この受け部４１ａは、第一インペラ１３に対する軸受として機能する。また、第一インペラ１３の上端の中央部には、上当接部１３ｃが形成されており、この上当接部１３ｃは、回転軸１４を支持する上側の軸受４０の下部に形成された位置決め手段である位置決め部４０ａに当接可能である。この位置決め部４０ａは、位置決め部４０ａに対する軸受として機能する。
【００４０】
第一インペラ１３の下方には、付勢手段であり圧縮バネとして機能して第一インペラ１３を付勢するコイルバネ７１が設けられている。このコイルバネ７１は、第一インペラ１３の下方において回転軸１４に間隔を有して外嵌しており、その上端を第一インペラ１３に支持され、その下端を第一インペラ１３の下方においてケーシング本体１２ａに設けられた軸受７２に支持されている。そして、コイルバネ７１は、第一インペラ１３とともに回転する。このとき、コイルバネ７１が軸受７２を介してケーシング本体１２ａに支持されている構造であるので、回転したコイルバネ７１がケーシング本体１２ａを傷付けることがない。そして、このコイルバネ７１は、回転軸１４の軸方向のうち第一インペラ１３が正回転したときの洗浄水の軸流方向の下流側、つまり、回転軸１４の軸方向のうちの上方向へ向けて第一インペラ１３を付勢している。
【００４１】
この構造では、第一インペラ１３はコイルバネ７１により上方へ付勢されていることにより、縦置型ポンプ９が動作しておらず回転軸１４が回転していないときは、第一インペラ１３は上当接部１３ｃが位置決め部４０ａに当接した状態で位置決めされている（図６参照）。このとき、下当接部１３ｂと受け部４１ａとは、間隔ｘを有して対向している。このときの第一インペラ１３の位置が初期位置とされている。この状態から回転軸１４と共に第一インペラ１３が正回転すると、第一インペラ１３は、軸流方向として上方へ洗浄水を押すので、洗浄水から下向への反力を受ける。そして、第一インペラ１３は、この流体から受ける反力によりコイルバネ７１の付勢力に抗して下方へ移動して、下当接部１３ｂが受け部４１ａに突き当たり、下向への移動が規制されて位置決めされる（図７参照）。このときの第一インペラ１３の位置が下端位置とされている。そして、この状態から回転軸１４の回転が停止すると、第一インペラ１３は洗浄水を押さなくなり洗浄水からの反力も無くなるので、コイルバネ７１の付勢力により上方へ移動して再び初期位置に戻る。
【００４２】
このように本実施の形態においては、第一インペラ１３は軸流インペラであって回転軸１４の軸方向に移動自在に設けられ、第一ポンプ室２７と第二ポンプ室３３とを形成するケーシング１２と、回転軸１４の軸方向のうち第一インペラ１３が正回転したときの流体である洗浄水の軸流方向の下流側の初期位置へ向けて第一インペラ１３を付勢する付勢手段であるコイルバネ７１と、コイルバネ７１により付勢された第一インペラ１３を初期位置で位置決めする位置決め手段である位置決め部４０ａと、初期位置に位置する第一インペラ１３に対して第一インペラ１３が正回転したときの洗浄牛の軸流方向の上流側で間隔を有してケーシング１２に一体に設けられ、正回転した第一インペラ１３が流体から受ける反力によってコイルバネ７１の付勢力に抗して移動して突き当たる受け部４１ａと、を備えていることにより、第一インペラ１３が正回転すると、第一インペラ１３が初期位置（図６参照）から下端位置（図７参照）へ移動し、下当接部１３ｂが受け部４１ａに突き当り、これにより、ケーシング１２に振動が発生する。この振動により、第二ポンプ室３３の上壁の内面３３ａに吸着した気泡が移動して連通穴３８へ到る。ここで、本実施の形態では、第二ポンプ室３３における上壁の内面３３ａが連通穴３８に向かって上り斜面であることは必ずしも必要ではないが、上り斜面の方が効果的に気泡をケーシング１２の振動によって連通穴３８へ移動させることができる。このように、ケーシング１２に発生させた振動により第二ポンプ室３３の上壁の内面３３ａに吸着した気泡が上壁の内面３３ａに沿って上昇し連通穴３８から第一ポンプ室２７へ排出されるので、排水ポンプ１７の第二ポンプ室３３内の空気の滞留防止効果を高めることができる。また、この第二インペラ６５の受け部４１ａへの突き当て動作を複数回繰り返すことにより、排水ポンプ１７の第二ポンプ室３３内の空気の滞留防止効果をさらに高めることができる。
【図面の簡単な説明】
【００４３】
【図１】本発明の第一の実施の形態のポンプを搭載した食器洗浄機の全体構成を示す縦断側面図である。
【図２】その一部を拡大して示す縦断側面図である。
【図３】図２におけるＡ−Ａ線断面図である
【図４】本発明の第二の実施の形態の縦置型ポンプを示す縦断側面図である。
【図５】第二インペラを示す斜視図である。
【図６】本発明の第三の実施の形態の縦置型ポンプを示す縦断側面図である。
【図７】第一インペラが下端位置に位置した状態の縦置型ポンプを示す縦断側面図である。
【図８】従来の縦置型ポンプを示す縦断側面図である。
【図９】第二インペラを示す水平断面図である。
【符号の説明】
【００４４】
１      食器洗浄機
９      縦置型ポンプ
１２    ケーシング
１３    第一インペラ（軸流インペラ）
１４    回転軸
１５    第二インペラ
１５ｂ  作用面（第一押圧面）
１６    洗浄ポンプ（第一ポンプ）
１７    排水ポンプ（第二ポンプ）
２７    第一ポンプ室
２８    第一吸入口
３０    第一吐出口
３３    第二ポンプ室
３３ａ  上壁の内面
３４    第二吸入口
３６    第二吐出口
３８    連通穴（連通部）
４０ａ  位置決め部（位置決め手段）
４１ａ  受け部
６５    第二インペラ
６５ｃ  背面（第二押圧面）
７１    コイルバネ（付勢手段）
【図１】
2005155583.tif 000003
【図２】
2005155583.tif 000004
【図３】
2005155583.tif 000005
【図４】
2005155583.tif 000006
【図５】
2005155583.tif 000007
【図６】
2005155583.tif 000008
【図７】
2005155583.tif 000009
【図８】
2005155583.tif 000010
【図９】
2005155583.tif 000011